(57)【特許請求の範囲】
【請求項１】
複数ファイバー構成の双方向リング切り替え方式のリングを構成する自ノードで検出した障害を救済するためスパンスイッチを実行したが正常に実行されないとき、前記スパンスイッチをリングスイッチに変更して実行する双方向リング切り替え方法において、
他のノードで発生した、前記リングスイッチより優先度の高いスパンスイッチ要求が前記自ノードで受信されたとき、それまで実行していたリングスイッチを前記自ノードの内部要求として保持する
ことを特徴とする双方向リング切り替え方法。
【請求項２】
請求項１記載の双方向リング切り替え方法において、
前記優先度の高いスパンスイッチ要求がなくなったことを示す情報が前記自ノードで受信されたとき、前記自ノードの障害を救済するためのスパンスイッチから実行開始する
ことを特徴とする双方向リング切り替え方法。
【請求項３】
請求項１記載の双方向リング切り替え方法において、
前記リングスイッチの実行中に、自ノードで検出される障害アラームレベルが変化したとき、前記障害アラームレベルに応じたリングスイッチを実行する
ことを特徴とする双方向リング切り替え方法。
【請求項４】
請求項１記載の双方向リング切り替え方法において、
前記自ノードに対し前記リングスイッチを実行した側とは逆側に隣接するノードからリングスイッチ要求を受信したとき、前記自ノードを前記リングから切り離す
ことを特徴とする双方向リング切り替え方法。
【請求項５】
請求項１記載の双方向リング切り替え方法において、
前記リングスイッチより優先度の高いスパンスイッチ要求が前記自ノードで受信されたとき、自ノードのリングブリッジ、リングスイッチ動作を解除し前記受信したスパンスイッチ要求を自ノード内を通過させ隣接ノードに送信する
ことを特徴とする双方向リング切り替え方法。
【請求項６】
請求項１記載の双方向リング切り替え方法において、
前記自ノードとその両側の隣接ノードそれぞれとの間でスパンスイッチを実行しようとした場合に、一方の隣接ノードとの間のスパンスイッチを実行できずリングスイッチに変更したとき、前記自ノードで他方のノードのスパンスイッチ要求と前記一方のノードのリングスイッチ要求との優先度を比較して前記スパンスイッチの実行かリングスイッチの実行かを決定し、前記両側の隣接ノードに要求する  ことを特徴とする双方向リング切り替え方法。
【請求項７】
４ファイバー構成の双方向リング切り替え方式のリングを構成しており、障害を救済するためスパンスイッチを実行したが正常に実行されないとき、前記スパンスイッチをリングスイッチに変更して実行するノード装置において、
他のノードで発生した、前記リングスイッチより優先度の高いスパンスイッチ要求が前記自ノードで受信されたとき、それまで実行していたリングスイッチを前記自ノードの内部要求として保持する保持手段を
有することを特徴とするノード装置。
【請求項８】
請求項７記載のノード装置において、
前記優先度の高いスパンスイッチ要求がなくなったことを示す情報が前記自ノードで受信されたとき、前記自ノードの障害を救済するためのスパンスイッチから実行開始する実行開始手段を
有することを特徴とするノード装置。
【請求項９】
請求項７記載のノード装置において、
前記リングスイッチの実行中に、自ノードで検出される障害アラームレベルが変化したとき、前記障害アラームレベルに応じたリングスイッチを実行する手段を
有することを特徴とするノード装置。
【請求項１０】
請求項７記載のノード装置において、
前記自ノードに対し前記リングスイッチを実行した側とは逆側に隣接するノードからリングスイッチ要求を受信したとき、前記自ノードを前記リングから切り離す切離手段を
有することを特徴とするノード装置。
【請求項１１】
請求項７記載のノード装置において、
前記リングスイッチより優先度の高いスパンスイッチ要求が前記自ノードで受信されたとき、自ノードのリングブリッジ、リングスイッチ動作を解除し前記受信したスパンスイッチ要求を自ノード内を通過させ隣接ノードに送信する要求通過手段を
有することを特徴とするノード装置。
【請求項１２】
請求項７記載のノード装置において、
前記自ノードとその両側の隣接ノードそれぞれとの間でスパンスイッチを実行しようとした場合に、一方の隣接ノードとの間のスパンスイッチを実行できずリングスイッチに変更したとき、前記自ノードで他方のノードのスパンスイッチ要求と前記一方のノードのリングスイッチ要求との優先度を比較して前記スパンスイッチの実行かリングスイッチの実行かを決定し、前記両側の隣接ノードに要求する比較手段を
【発明の詳細な説明】
【０００１】
【発明の属する技術分野】
本発明は、双方向リング切り替え方法及びその装置に関し、４ファイバー構成の双方向リング切り替え方法及びその装置に関する。
【０００２】
【従来の技術】
ＢＬＳＲ（Ｂｉｄｉｒｅｃｔｉｏｎａｌ  Ｌｉｎｅ  Ｓｗｉｔｃｈｅｄ  Ｒｉｎｇ：双方向リング切り替え）は、ライン上の１つのタイムスロットを複数のパスで利用し、他のサービススロットを予備として複数のパスで共有することで高い回線収容効率を実現できるリングネットワークシステムである。
【０００３】
4 ファイバーＢＬＳＲ構成においては、リング上の障害を救済するのに2 種類の方法がある。第１の方法は障害のあったノード間でショートパスを使ったスパンスイッチであり、第２の方法はロングパスを使ったリングスイッチである。スパンスイッチが実行できなかった場合は、ロングパスを使ったリングスイッチを実行することにより障害の救済を実現する。
【０００４】
従来、ＳＯＮＥＴ（Ｓｙｎｃｈｒｏｎｏｕｓ  Ｏｐｔｉｃａｌ  Ｎｅｔｗｏｒｋ）  ＢＬＳＲ  Ｅｑｕｉｐｍｅｎｔ  Ｇｅｎｅｒｉｃ  ＣｒｉｔｅｒｉａについてのＢＥＬＣＯＲＥ規格ＧＲ−１２３０−ＣＯＲＥ  Ｉｓｓｕｅ４，Ｒ６−１５１によって、重度のＳＦ（Ｓｉｇｎａｌ  Ｆａｉｌ）によるスパンスイッチ（すなわち、ＳＦ−Ｓ）や、軽度のＳＤ（Ｓｉｇｎａｌ  Ｄｅｇｒａｄｅ）によるスパンスイッチ（すなわち、ＳＤ−Ｓ）を実行した際に、ある一定時間内に隣接ノードからショートパスで受信通知を受けなかった場合、ＳＦやＳＤによるリングスイッチを実行することが決められている。
【０００５】
図１にスパンスイッチの説明図を示す。同図中、ノードＡにおいて、現用回線Ｗｂａの障害を検出すると、ノードＡのスパンスイッチＳＳ２ａ及びノードＢのスパンブリッジＳＢ１ｂを現用回線Ｗｂａから予備回線Ｐｂａ側に切り替えると共に、ノードＡのスパンブリッジＳＢ２ａ及びノードＢのスパンスイッチＳＳ１ｂを現用回線Ｗａｂから予備回線Ｐａｂ側に切り替えて、スパンスイッチ動作を実行する。
【０００６】
図２にリングスイッチの説明図を示す。同図中、ノードＡにおいて、現用回線Ｗｂａと予備回線Ｐｂａの障害を検出すると、ノードＡのリングスイッチＲＳ２ａ及びリングブリッジＲＢ１ａを切り替えてノードＡから現用回線Ｗａｂへの出力を予備回線Ｐａｆに接続し、かつ予備回線Ｐｆａからの入力をノードＡの現用回線Ｗｂａに接続すると共に、ノードＢのリングスイッチＲＳ１ｂ及びリングブリッジＳＢ２ｂを切り替えて予備回線Ｐｃｂからの入力をノードＣの現用回線Ｗａｂからの入力に接続し、かつノードＢから現用回線Ｗｂａへの出力を予備回線Ｐｂｃに接続し、リングスイッチ動作を実行する。
【０００７】
【発明が解決しようとする課題】
従来では、スパンスイッチが実行できずリングスイッチを実行した場合、その後スパンスイッチが実行できない状況が復旧した場合に、復旧したことを確認することができず、どの時点で復旧の確認をしたらよいか分からなかった。一度、リングスイッチを実行すると、救済した状態で安定しているためスパンスイッチを実行する必要がなく、常にスパンスイッチが実行できない状況の復旧を確認する必要はない。しかし、他のスパンでの障害の発生、復旧による切り替えを再び実行する場合は、スパンスイッチができない状況から復旧しているかどうかを確認する必要がある。従来は、そのような場合の確認動作は定義されてないため、障害救済が可能な場合でも救済できる装置とできない装置とが存在し、互換性の妨げになっているという問題があった。
【０００８】
また、リングスイッチ実行中において、後発の高い優先順位の切り替え要求を実行することにより、ＳＯＮＥＴのラインオーバーヘッド内のＡＰＳ（オート・プロテクション・スイッチ）で、切り換えのプロトコルを送受信するＫ１，Ｋ２バイトの内容、つまりＡＰＳ情報が安定せず、切り替え動作を繰り返して安定せず、ＡＰＳのアラームが発生するという問題点があった。
【０００９】
本発明は、上記の点に鑑みなされたものであり、ＡＰＳ情報や切り替え動作状態を安定化することができる双方向リング切り替え方法及びその装置を提供することを目的とする。
【００１０】
【課題を解決するための手段】
請求項１に記載の発明は、複数ファイバー構成の双方向リング切り替え方式のリングを構成する自ノードで検出した障害を救済するためスパンスイッチを実行したが正常に実行されないとき、前記スパンスイッチをリングスイッチに変更して実行する双方向リング切り替え方法において、
他のノードで発生した、前記リングスイッチより優先度の高いスパンスイッチ要求が前記自ノードで受信されたとき、それまで実行していたリングスイッチを前記自ノードの内部要求として保持する。
【００１１】
このように、他のノードで発生した、リングスイッチより優先度の高いスパンスイッチ要求が自ノードで受信されたとき、それまで実行していたリングスイッチを自ノードの内部要求として保持し、スパンスイッチを実行できない状況が復旧したか否かを確認しないため、ＡＰＳ情報や切り替え動作状態を安定化することができる。
請求項２に記載の発明は、請求項１記載の双方向リング切り替え方法において、
前記優先度の高いスパンスイッチ要求がなくなったことを示す情報が前記自ノードで受信されたとき、前記自ノードの障害を救済するためのスパンスイッチから実行開始する。
【００１２】
このように、優先度の高いスパンスイッチ要求がなくなったことを示す情報が自ノードで受信されたとき、自ノードの障害を救済するためのスパンスイッチから実行開始するため、スパンスイッチを実行できない状況が復旧したかどうかを優先度の高いスパンスイッチ要求がなくなった時点で確認することができる。
請求項３に記載の発明は、請求項１記載の双方向リング切り替え方法において、
前記リングスイッチの実行中に、自ノードで検出される障害アラームレベルが変化したとき、前記障害アラームレベルに応じたリングスイッチを実行する。
【００１３】
このように、リングスイッチの実行中に、自ノードで検出される障害アラームレベルが変化したとき、前記障害アラームレベルに応じたリングスイッチを実行し、リングスイッチとスパンスイッチの切り替えを行わないため、無駄な切り替え動作が頻発することを防止できる。
請求項４に記載の発明は、請求項１記載の双方向リング切り替え方法において、
前記自ノードに対し前記リングスイッチを実行した側とは逆側に隣接するノードからリングスイッチ要求を受信したとき、前記自ノードを前記リングから切り離す。
【００１４】
このように、リングスイッチを実行した側とは逆側に隣接するノードからリングスイッチ要求を受信したとき、自ノードを前記リングから切り離し、リングブリッジ，リングスイッチを実行しないため、ＡＰＳ情報や切り替え動作状態を安定化することができる。
請求項５に記載の発明は、請求項１記載の双方向リング切り替え方法において、
前記リングスイッチより優先度の高いスパンスイッチ要求が前記自ノードで受信されたとき、自ノードのリングブリッジ、リングスイッチ動作を解除し前記受信したスパンスイッチ要求を自ノード内を通過させ隣接ノードに送信する。
【００１５】
このように、優先度の高いスパンスイッチ要求が自ノードで受信されたとき、自ノードのリングブリッジ、リングスイッチ動作を解除し受信したスパンスイッチ要求を自ノード内を通過させ隣接ノードに送信するため、ＡＰＳ情報や切り替え動作状態を安定化することができる。
請求項６に記載の発明は、請求項１記載の双方向リング切り替え方法において、
前記自ノードとその両側の隣接ノードそれぞれとの間でスパンスイッチを実行しようとした場合に、一方の隣接ノードとの間のスパンスイッチを実行できずリングスイッチに変更したとき、前記自ノードで他方のノードのスパンスイッチ要求と前記一方のノードのリングスイッチ要求との優先度を比較して前記スパンスイッチの実行かリングスイッチの実行かを決定し、前記両側の隣接ノードに要求する。
【００１６】
このように、一方の隣接ノードとの間のスパンスイッチを実行できずリングスイッチに変更したとき、自ノードで他方のノードのスパンスイッチ要求と一方のノードのリングスイッチ要求との優先度を比較してスパンスイッチの実行かリングスイッチの実行かを決定し、両側の隣接ノードに要求するため、ＡＰＳ情報や切り替え動作状態を安定化することができる。
【００１７】
請求項７に記載の発明は、４ファイバー構成の双方向リング切り替え方式のリングを構成しており、障害を救済するためスパンスイッチを実行したが正常に実行されないとき、前記スパンスイッチをリングスイッチに変更して実行するノード装置において、
他のノードで発生した、前記リングスイッチより優先度の高いスパンスイッチ要求が前記自ノードで受信されたとき、それまで実行していたリングスイッチを前記自ノードの内部要求として保持する保持手段を有する。
【００１８】
このように、他のノードで発生した、リングスイッチより優先度の高いスパンスイッチ要求が自ノードで受信されたとき、それまで実行していたリングスイッチを自ノードの内部要求として保持し、スパンスイッチを実行できない状況が復旧したか否かを確認しないため、ＡＰＳ情報や切り替え動作状態を安定化することができる。
請求項８に記載の発明は、請求項７記載のノード装置において、
前記優先度の高いスパンスイッチ要求がなくなったことを示す情報が前記自ノードで受信されたとき、前記自ノードの障害を救済するためのスパンスイッチから実行開始する実行開始手段を有する。
【００１９】
このように、優先度の高いスパンスイッチ要求がなくなったことを示す情報が自ノードで受信されたとき、自ノードの障害を救済するためのスパンスイッチから実行開始するため、スパンスイッチを実行できない状況が復旧したかどうかを優先度の高いスパンスイッチ要求がなくなった時点で確認することができる。
請求項９に記載の発明は、請求項７記載のノード装置において、
前記リングスイッチの実行中に、自ノードで検出される障害アラームレベルが変化したとき、前記障害アラームレベルに応じたリングスイッチを実行する手段を有する。
【００２０】
このように、リングスイッチの実行中に、自ノードで検出される障害アラームレベルが変化したとき、前記障害アラームレベルに応じたリングスイッチを実行し、リングスイッチとスパンスイッチの切り替えを行わないため、無駄な切り替え動作が頻発することを防止できる。
請求項１０に記載の発明は、請求項７記載のノード装置において、
前記自ノードに対し前記リングスイッチを実行した側とは逆側に隣接するノードからリングスイッチ要求を受信したとき、前記自ノードを前記リングから切り離す切離手段を有する。
【００２１】
このように、リングスイッチを実行した側とは逆側に隣接するノードからリングスイッチ要求を受信したとき、自ノードを前記リングから切り離し、リングブリッジ，リングスイッチを実行しないため、ＡＰＳ情報や切り替え動作状態を安定化することができる。
請求項１１に記載の発明は、請求項７記載のノード装置において、
前記リングスイッチより優先度の高いスパンスイッチ要求が前記自ノードで受信されたとき、自ノードのリングブリッジ、リングスイッチ動作を解除し前記受信したスパンスイッチ要求を自ノード内を通過させ隣接ノードに送信する要求通過手段を有する。
【００２２】
このように、優先度の高いスパンスイッチ要求が自ノードで受信されたとき、自ノードのリングブリッジ、リングスイッチ動作を解除し受信したスパンスイッチ要求を自ノード内を通過させ隣接ノードに送信するため、ＡＰＳ情報や切り替え動作状態を安定化することができる。
請求項１２に記載の発明は、請求項７記載のノード装置において、
前記自ノードとその両側の隣接ノードそれぞれとの間でスパンスイッチを実行しようとした場合に、一方の隣接ノードとの間のスパンスイッチを実行できずリングスイッチに変更したとき、前記自ノードで他方のノードのスパンスイッチ要求と前記一方のノードのリングスイッチ要求との優先度を比較して前記スパンスイッチの実行かリングスイッチの実行かを決定し、前記両側の隣接ノードに要求する比較手段を有する。
【００２３】
このように、一方の隣接ノードとの間のスパンスイッチを実行できずリングスイッチに変更したとき、自ノードで他方のノードのスパンスイッチ要求と一方のノードのリングスイッチ要求との優先度を比較してスパンスイッチの実行かリングスイッチの実行かを決定し、両側の隣接ノードに要求するため、ＡＰＳ情報や切り替え動作状態を安定化することができる。
【００２４】
【発明の実施の形態】
図３は、本発明方法を適用するリングネットワークの構成図である。同図中、６個のノードＡ，Ｂ，Ｃ，Ｄ，Ｅ，Ｆが実線の矢印及び破線の矢印で示す光ファイバーによってリング状に接続されている。矢印は情報の伝送方向を示しており、実線の矢印は現用回線を示し、破線の矢印は予備回線を示す。ここで、ノードＡからノードＢに至るパスは、ノードＡから直接ノードＢに至るショートパスと、ノードＡからノードＦ，Ｅ，Ｄ，Ｃを順に経てノードＢに至るロングパスとがある。
【００２５】
図４は本発明のノードの一実施例のブロック図を示す。ここではノードＡを例にとって説明する。図４において、障害検出部２０は現用回線Ｗｆａ及び予備回線Ｐｆａそれぞれの障害検出を行って、検出結果を切替制御部２８に供給する。また、受信Ｋバイト読込部２２は現用回線Ｗｆａ及び予備回線Ｐｆａそれぞれで受信したタイムスロットからＡＰＳ情報を読み込んで、切替制御部２８に供給する。障害のない通常時には、切替制御部２８の制御により、リングスイッチＲＳ１ａ、スパンスイッチＳＳ１ａ、スパンブリッジＳＢ２ａ、リングブリッジＲＢ２ａそれぞれは端子ａの選択状態とされている。
【００２６】
現用回線Ｗｆａで受信したタイムスロットはリングスイッチＲＳ１ａ、スパンスイッチＳＳ１ａ、スパンブリッジＳＢ２ａそれぞれを通して送信Ｋバイト書込部２４及びリングブリッジＲＢ１ａの端子ｂに供給され、予備回線Ｐｆａで受信したタイムスロットはリングブリッジＲＢ２ａを通して送信Ｋバイト書込部２４に供給されると共にスパンスイッチＳＳ１ａ、スパンブリッジＳＢ２ａ、リングスイッチＲＳ２ａの端子ｂに供給され、送信Ｋバイト書込部２４で、切替制御部２８から供給されるＡＰＳ情報を書き込まれて現用回線Ｗａｂ及び予備回線Ｐａｂそれぞれに送出される。
【００２７】
障害検出部３０は現用回線Ｗｂａ及び予備回線Ｐｂａそれぞれの障害検出を行って、検出結果を切替制御部２８に供給する。また、受信Ｋバイト読込部３２は現用回線Ｗｂａ及び予備回線Ｐｂａそれぞれで受信したタイムスロットからＡＰＳ情報を読み込んで、切替制御部２８に供給する。障害のない通常時には、切替制御部２８の制御により、リングスイッチＲＳ２ａ、スパンスイッチＳＳ２ａ、スパンブリッジＳＢ１ａ、リングブリッジＲＢ１ａそれぞれは端子ａの選択状態とされている。
【００２８】
現用回線Ｗｆａで受信したタイムスロットはリングスイッチＲＳ２ａ、スパンスイッチＳＳ２ａ、スパンブリッジＳＢ１ａそれぞれを通して送信Ｋバイト書込部２４及びリングブリッジＲＢ２ａの端子ｂに供給され、予備回線Ｐｆａで受信したタイムスロットはリングブリッジＲＢ１ａを通して送信Ｋバイト書込部３４に供給されると共にスパンスイッチＳＳ２ａ、スパンブリッジＳＢ１ａ、リングスイッチＲＳ１ａの端子ｂに供給され、送信Ｋバイト書込部３４で、切替制御部２８から供給されるＡＰＳ情報を書き込まれて現用回線Ｗａｂ及び予備回線Ｐａｂそれぞれに送出される。
【００２９】
スパンスイッチ実行時には、切替制御部２８の制御によりスパンスイッチＳＳ１ａ及びスパンブリッジＳＢ１ａが端子ｂの選択状態とされる。これにより、予備回線Ｐｆａから受信したタイムスロットがスパンスイッチＳＳ１ａ、スパンブリッジＳＢ２ａを通して現用回線Ｗａｂに送出され、現用回線Ｗｂａから受信したタイムスロットがリングスイッチＲＳ２ａ、スパンスイッチＳＳ２ａ、スパンブリッジＳＢ１ａ、リングブリッジＲＢ１ａを通して予備回線Ｐａｆに送出される。
【００３０】
リングスイッチ実行時には、切替制御部２８の制御によりリングスイッチＲＳ２ａ及びリングブリッジＲＢ１ａが端子ｂの選択状態とされる。これにより、予備回線Ｐｆａから受信したタイムスロットがリングスイッチＲＳ２ａ、スパンスイッチＳＳ２ａ、スパンブリッジＳＢ１ａを通して現用回線Ｗａｆに送出され、現用回線Ｗｆａから受信したタイムスロットがリングスイッチＲＳ１ａ、スパンスイッチＳＳ１ａ、スパンブリッジＳＢ２ａ、リングブリッジＲＢ１ａを通して予備回線Ｐａｆに送出される。
【００３１】
なお、切り替え要求の優先度は高い順に、ＳＦによるスパンスイッチ（ＳＦ−Ｓ），ＳＦによるリングスイッチ（ＳＦ−Ｒ），ＳＤによるスパンスイッチ（ＳＤ−Ｓ），ＳＤによるリングスイッチ（ＳＤ−Ｒ）である。
図５はノードＡ，Ｂ間障害時の第１実施例の動作シーケンスを示し、図６（Ａ），（Ｂ）はそのＡＰＳ情報の一覧を示す。
【００３２】
初期状態として、リング上に何も障害がないものとする。このときのＡＰＳ情報を図６（Ａ）に示す。図６（Ａ），（Ｂ）において、第１欄は情報を特定する記号を示す。第２欄のＫ１バイト第１〜４ビットは切り替え要求を示すが、「ＮＲ」は要求なしを示している。第３欄のＫ１バイト第５〜８ビットは送信先を示す。第４欄のＫ２バイト第１〜４ビットは送信元を示す。第５欄のＫ２バイト第５ビットは値０でショートスパン、値１でロングスパンを示す。第６欄のＫ２バイト第６〜８ビットは送信元のステータスを示す。
【００３３】
この後、図３にＸ印で示すノードＢ，Ａ間の現用回線Ｗｂａに重度の障害が発生し、図５に示す時刻Ｔ１でノードＡはノードＢからの現用回線にＳＦ（Ｓｉｇｎａｌ  Ｆａｉｌ）を検出すると、ノードＡはノードＢに対してＳＦによるスパンスイッチ（ＳＦ−Ｓ）のＡＰＳ情報ａ３，ａ４（図６（Ｂ）に示す）を隣接するノードＢ，Ｆそれぞれに送信する。これに対し、ノードＢは図６（Ｂ）に示す「ＮＲ」のＡＰＳ情報ｂ２を返送してノードＡが受信するＡＰＳ情報には変化がない。つまり、ノードＡはノードＢからスパンスイッチに対する応答（ＲＲ−Ｒ）や、別の切り替え要求を受信しない。このスパンスイッチに対する応答がないのは、ノードＢ，Ａ間の予備回線Ｐｂａに障害があるためであったり、ノードＢの内部状態でスパンスイッチができないため等の理由による。
【００３４】
その後、状況に変化がなくノードＡがＳＦ−Ｓを送信したのち一定時間経過して時刻Ｔ２となる。これにより、ノードＡはノードＢとのスパンスイッチ（ＳＦ−Ｓ）が実行不可能であると判断し、図６（Ｂ）に示すＡＰＳ情報ａ５，ａ６を送信してＳＦによるリングスイッチ（ＳＦ−Ｒ）を実行する。ここは通常の切り替えシーケンスで、ＡＰＳ情報ａ６の要求はノードＦ，Ｅ，Ｄ，Ｃそれぞれを通過（パス・スルー）されてノードＢに到達する。
【００３５】
ノードＢでは、このＡＰＳ情報ａ６を受信するとリングブリッジ、リングスイッチを実行し、ノードＢからノードＡに向けての現用回線ＷｂａをノードＢからノードＣに向けての予備回線Ｐｂｃに切り替え接続する。そして、ノードＡに対して図６（Ｂ）に示す応答のＡＰＳ情報ｂ５，ｂ６を送信する。また、ノードＡではノードＢから応答のＡＰＳ情報ｂ５をノードＦを介したロングスパンで受信すると、リングブリッジ、リングスイッチを実行し、その応答のＡＰＳ情報ａ７，ａ８を送信する。ここまでは、規格ＧＲ−１２３０−ＣＯＲＥ  Ｉｓｓｕｅ４に記述されている通常の動作である。
【００３６】
図７は、ノードＡ，Ｂ間障害時のノードＡの実行する処理のフローチャートを示す。同図中、ステップＳ１０でノードＡはノードＢからの現用回線にＳＦを検出されたか否かを判別し、ＳＦを検出するとステップＳ１２に進み、ノードＡはノードＢに対してＳＦによるスパンスイッチ（ＳＦ−Ｓ）を要求する。次に、ステップＳ１４でノードＢから応答がないまま一定時間経過したか否かを判別し、一定時間経過するとステップＳ１６に進む。ステップＳ１６でノードＡはノードＢに対してＳＦによるリングスイッチ（ＳＦ−Ｒ）を要求し、ステップＳ１８においてノードＡ，Ｂ間でリングスイッチを実現する。
【００３７】
次に、この状態から、図８にＸ印で示すノードＣ，Ｄ間の現用回線Ｗｃｄに重度の障害が発生した場合について説明する。図９はノードＣ，Ｄ間障害時の第２実施例の動作シーケンスを示し、図１０（Ａ），（Ｂ）はそのＡＰＳ情報の一覧を示す。
図９に示す時刻Ｔ３でノードＤはノードＣからの現用回線にＳＦを検出すると、ノードＤはノードＣに対してＳＦによるスパンスイッチ（ＳＦ−Ｓ）のＡＰＳ情報ｄ３，ｄ４（図１０（Ａ）に示す）を隣接するノードＣ，Ｅそれぞれに送信する。これに対し、ノードＣはスパンフリッジを実行し、図１０（Ａ）に示す応答ＲＲ−ＳのＡＰＳ情報ｃ３，ＳＦによるスパンスイッチ（ＳＦ−Ｓ）のＡＰＳ情報ｃ４を送信する。
【００３８】
更にノードＤはＡＰＳ情報ｃ３を受信すると、スパンブリッジ、スパンスイッチを実行し、図１０（Ａ）に示すＳＦによるスパンスイッチ（ＳＦ−Ｓ）のＡＰＳ情報ｄ５，ｄ６を送信する。ノードＣは、スパンスイッチ（ＳＦ−Ｓ）のＡＰＳ情報ｄ６を受信するとスパンスイッチを実行し、図１０（Ａ）に示す応答ＲＲ−ＳのＡＰＳ情報ｃ５，ＳＦによるスパンスイッチ（ＳＦ−Ｓ）のＡＰＳ情報ｃ６を送信する。
【００３９】
また、リングスイッチ（ＳＦ−Ｒ）を実行していたノードＡでは、ノードＤからノードＣへのロングパスによるＳＦ−Ｓ要求のＡＰＳ情報ｄ３（またはｃ４）を受信すると、ＳＦ−ＲはＳＦ−Ｓよりも優先順位が低いためリングブリッジ、リングスイッチを解除する。そして、ノードＡは受信したＳＦ−Ｓ要求のＡＰＳ情報ｄ３（またはｃ４）を通過（パススルー）させる。但し、ノードＡの内部要求としてはＳＦ−Ｒを保持する。同様に、ノードＢもノードＣからノードＤへのロングパスによるＳＦ−Ｓ要求のＡＰＳ情報ｃ４（またはｄ３）を受信すると、リングブリッジ、リングスイッチを解除する。
【００４０】
図９に示す時刻Ｔ４でノードＤはノードＣからの現用回線にＳＦを検出しなくなって待機状態ＷＴＲになると、ノードＤはノードＣに対して待機ＷＴＲのＡＰＳ情報ｄ７，ｄ８（図１０（Ａ）に示す）を隣接するノードＣ，Ｅそれぞれに送信する。ノードＣはＡＰＳ情報ｄ８を受信し、図１０（Ｂ）に示す応答ＲＲ−ＳのＡＰＳ情報ｃ７，待機状態ＷＴＲのＡＰＳ情報ｃ８を送信してノードＤに伝達する。ノードＢからの現用回線がＳＦであることを検出をしているノードＡは、ノードＤからノードＣに対する待機ＷＴＲのＡＰＳ情報ｄ７を受信し、自ノードの要求が実行できる状況を確認してスパンスイッチ（ＳＦ−Ｓ）を実行する。なお、ノードＡの内部に保持されている要求はＳＦ−Ｒであるが、他での障害が復旧したため現状で実行可能なスパンスイッチ（ＳＦ−Ｓ）から再開する。そして、図１０（Ｂ）に示すスパンスイッチ（ＳＦ−Ｓ）のＡＰＳ情報ａ９，ａ１０を送信する。これに対し、ノードＢは図１０（Ｂ）に示す要求なしＮＲのＡＰＳ情報ｂ７，ｂ８をノードＣ，Ａに送信する。
【００４１】
図１１は、ノードＡ，Ｂ間のリングスイッチ実行中におけるノードＣ，Ｄ間障害時のノードＡの実行する処理のフローチャートを示す。同図中、ステップＳ２０でノードＡは、自ノードが実行しているリングスイッチ（ＳＦ−Ｒ）の要求より優先度の高い他ノードに対する要求のＡＰＳ情報（例えばノードＣからノードＤに対するＳＦ−Ｓ等）を受信したか否かを判別する。上記要求のＡＰＳ情報を受信した場合にはステップＳ２２でリングスイッチ（ＳＦ−Ｒ）を解除し、ステップＳ２４で受信した要求のＡＰＳ情報を通過（パススルー）させる。但し、ステップＳ２２では自ノードがリングスイッチ（ＳＦ−Ｒ）を実行していたことを保持しておく。
【００４２】
その後、ステップＳ２６で、先にリングスイッチ（ＳＦ−Ｒ）を解除する原因となった要求（例えばノードＣからノードＤに対するＳＦ−Ｓ等）を解除するためのＡＰＳ情報（ノードＤからノードＣに対する待機ＷＴＲ等）を受信したか否かを判別し、これを受信した場合には自ノードがリングスイッチ（ＳＦ−Ｒ）を実行していたことを保持していたにも拘わらず、ステップＳ２８に進んでノードＡ，Ｂ間が重度のＳＦがあるという状況に対応して、ＳＦによるスパンスイッチ（ＳＦ−Ｓ）を実行する。
【００４３】
このように、他のノードで発生した、リングスイッチより優先度の高いスパンスイッチ要求が自ノードで受信されたとき、それまで実行していたリングスイッチを自ノードの内部要求として保持し、スパンスイッチを実行できない状況が復旧したか否かを確認しないため、ＡＰＳ情報や切り替え動作状態を安定化することができる。
また、優先度の高いスパンスイッチ要求がなくなったことを示す情報が自ノードで受信されたとき、自ノードの障害を救済するためのスパンスイッチから実行開始するため、スパンスイッチを実行できない状況が復旧したかどうかを優先度の高いスパンスイッチ要求がなくなった時点で確認することができより、多くの障害救済を可能にすることができる。
【００４４】
また、優先度の高いスパンスイッチ要求が自ノードで受信されたとき、自ノードのリングブリッジ、リングスイッチ動作を解除し受信したスパンスイッチ要求を自ノード内を通過させ隣接ノードに送信するため、ＡＰＳ情報や切り替え動作状態を安定化することができる。
図１２はノードＡ，Ｂ間障害時の第３実施例の動作シーケンスを示し、図１３はそのＡＰＳ情報の一覧を示す。この実施例はノードＡの現用回線Ｗｂａの検出アラームレベルが重度のＳＦから軽度のＳＤに変化した場合を示している。
【００４５】
ノードＡがスパンスイッチ（ＳＦ−Ｓ）のＡＰＳ情報ａ９，ａ１０を送信して一定時間が経過して図１２に示す時刻Ｔ５になり、この一定時間が経過するまでにノードＢからＳＦ−Ｓに対する応答ＲＲ−ＳのＡＰＳ情報、あるいは別のスパンスイッチ要求を受信しない場合、図５に示す時刻Ｔ２になった時と同様の動作でリングスイッチを実行する。
【００４６】
即ち、ノードＡはノードＢとのスパンスイッチ（ＳＦ−Ｓ）が実行不可能であると判断し、図６（Ｂ）に示すＡＰＳ情報ａ５，ａ６を送信してＳＦによるリングスイッチ（ＳＦ−Ｒ）を実行する。ここは通常の切り替えシーケンスで、ＡＰＳ情報ａ６の要求はノードＦ，Ｅ，Ｄ，Ｃそれぞれを通過（パス・スルー）されてノードＢに到達する。
【００４７】
ノードＢでは、このＡＰＳ情報ａ６を受信するとリングブリッジ、リングスイッチを実行し、ノードＣからノードＢに向けての現用回線ＷｃｂをノードＢからノードＣに向けての予備回線Ｐｂｃに切り替え接続する。そして、ノードＡに対して図６（Ｂ）に示す応答のＡＰＳ情報ｂ５，ｂ６を送信する。また、ノードＡではノードＢから応答のＡＰＳ情報ｂ５をノードＦを介したロングスパンで受信すると、リングブリッジ、リングスイッチを実行し、その応答のＡＰＳ情報ａ７，ａ８を送信する。
【００４８】
この後、時刻Ｔ６において、ノードＡにおけるノードＢからの現用回線Ｗｂａの検出アラームレベルが重度のＳＦから軽度のＳＤに変化したとき、ノードＡは実行中のリングスイッチを継続し、切り替え要求をＳＤ−Ｒに変更して、図１３に示す切り替え要求のＡＰＳ情報ａ１１，ａ１２を送信してＳＤによるリングスイッチ（ＳＤ−Ｒ）を送信する。ノードＢは、ノードＡからのＡＰＳ情報ａ１１を受信するとＳＤによるリングスイッチ（ＳＤ−Ｒ）を実行し、図１３に示す切り替え要求ｂ９，応答ＲＲ−ＳのＡＰＳ情報ｂ１０をそれぞれノードＣ，Ａに送信する。
【００４９】
図１４は、ノードＡ，Ｂ間でリングスイッチ実行時に検出アラームが変化した場合にノードＡが実行する処理のフローチャートを示す。同図中、ステップＳ３０でノードＡはノードＢからの現用回線Ｗｂａの検出アラームレベルが重度のＳＦから軽度のＳＤに変化したことを検出すると、ステップＳ３２でノードＡはリングスイッチを継続し、ステップＳ３４でノードＡはリングスイッチ（ＳＤ−Ｒ）のＡＰＳ情報ａ１１，ａ１２をノードＢ，Ｆに送信し、ステップＳ３６でノードＢから応答ＲＲ−ＳのＡＰＳ情報ｂ１０を受信して、ノードＡ，Ｂ間のＳＤ−Ｒによるリングスイッチを実行する。
【００５０】
このように、リングスイッチの実行中に、自ノードで検出される障害アラームレベルが変化したとき、前記障害アラームレベルに応じたリングスイッチを実行し、リングスイッチとスパンスイッチの切り替えを行わないため、無駄な切り替え動作が頻発することを防止できる。
次に、図３に示すノードＡ，Ｂ間の現用回線Ｗｂａに重度の障害がある状態から、図１５にＸ印で示すノードＡ，Ｆ間の現用回線Ｗａｆと予備回線Ｐａｆに重度の障害が発生した場合について説明する。図１６はノードＡ，Ｆ間障害時の第４実施例の動作シーケンスを示し、図１７はそのＡＰＳ情報の一覧を示す。
【００５１】
なお、図１６における時刻Ｔ５からＴ７間での処理は図１２において時刻Ｔ５からＴ６間での処理と同一であり、このときのＡＰＳ情報の一覧は図６（Ａ），（Ｂ）と同一である。
図１６に示す時刻Ｔ７になり、ノードＦはノードＡからの現用回線Ｗａｆと予備回線Ｐａｆに重度の障害ＳＦを検出する。これによりノードＦはリングブリッジ、リングスイッチを実行し、図１７に示すリングスイッチ（ＳＦ−Ｒ）のＡＰＳ情報ｆ３，ｆ４を送信する。ノードＡはリングスイッチ（ＳＦ−Ｒ）のＡＰＳ情報ｆ３を受信すると、リングブリッジ、リングスイッチを解除し、アイソレート状態に変化する。そして、ノードＡはリングスイッチ（ＳＦ−Ｒ）のＡＰＳ情報ａ１１，ａ１２それぞれをノードＢ，Ｆに送信する。
【００５２】
図１８は、ノードＡ，Ｂ間でリングスイッチ実行時にノードＡ，Ｆ間の障害発生によりノードＡが実行する処理のフローチャートを示す。同図中、ステップＳ４０でノードＡはノードＦからリングスイッチ（ＳＦ−Ｒ）のＡＰＳ情報ｆ３を受信する。これにより、ステップＳ４２でノードＡはリングブリッジ、リングスイッチを解除し、ステップＳ４４でアイソレート状態となる。
【００５３】
次に、図１９にＸ印で示すノードＡ，Ｂ間の現用回線Ｗｂａに重度の障害が発生し、その後ノードＡ，Ｆ間の現用回線Ｗａｆに重度の障害が発生した場合について説明する。図２０はノードＡ，Ｆ間障害時の第５実施例の動作シーケンスを示し、図２１はそのＡＰＳ情報の一覧を示す。
図２０に示す時刻Ｔ８にノードＡはノードＢからの現用回線Ｗｂａにおいて重度の障害ＳＦを検出し、ノードＡはスパンスイッチ（ＳＦ−Ｓ）を実行し、図６（Ｂ）に示すスパンスイッチ（ＳＦ−Ｓ）要求のＡＰＳ情報ａ３，ａ４を隣接ノードＢ，Ｆに送信する。しかし、ノードＡはノードＢからの図６（Ｂ）に示す「ＮＲ」のＡＰＳ情報ｂ２を受信し、スパンスイッチ（ＳＦ−Ｓ）に対する受信の応答を得ない。
【００５４】
その後、時刻Ｔ９になり、ノードＦにおいてノードＡからの現用回線Ｗａｆにおいて重度の障害ＳＦを検出し、スパンスイッチ（ＳＦ−Ｓ）を実行し、図２１に示すスパンスイッチ（ＳＦ−Ｓ）要求のＡＰＳ情報ｆ５，ｆ６を隣接ノードＡ，Ｅに送信する。ノードＡは、ＡＰＳ情報ｆ５を受信するとスパンブリッジを実行し、スパンスイッチ（ＳＦ−Ｓ）要求のＡＰＳ情報ａ１３，スパンスイッチ（ＳＦ−Ｓ）応答のＡＰＳ情報ａ１４をノードＢ，Ｆに送信する。ノードＦはノードＡからのスパンスイッチ（ＳＦ−Ｓ）応答のＡＰＳ情報ａ１４を受信することにより、スパンブリッジ、スパンスイッチを実行して図２１に示すスパンスイッチ（ＳＦ−Ｓ）要求のＡＰＳ情報ｆ７，ｆ８を隣接ノードＡ，Ｅに送信する。
【００５５】
さらに、時刻Ｔ１０になり、ノードＡはノードＢとの間で実行しようとしていたスパンスイッチが実行できないことがわかり、リングスイッチ（ＳＦ−Ｒ）を実行しようとする。しかし、ノードＦから優先順位の高いスパンスイッチ（ＳＦ−Ｓ）要求のＡＰＳ情報ｆ７を受信していることにより、ノードＡはノードＦ側のスパンスイッチ（ＳＦ−Ｓ）要求のＡＰＳ情報ａ１５，スパンスイッチ（ＳＦ−Ｓ）応答のＡＰＳ情報ａ１６をノードＢ，Ｆに送信する。
【００５６】
図２２は、ノードＡ，Ｂ間でリングスイッチ実行時にノードＡ，Ｆ間の障害発生によりノードＡが実行する処理のフローチャートを示す。同図中、ステップＳ５０でノードＡはノードＦからスパンスイッチ（ＳＦ−Ｓ）のＡＰＳ情報ｆ５を受信する。これにより、ステップＳ５２でノードＡはスパンブリッジを実行し、ステップＳ５４でスパンスイッチ（ＳＦ−Ｓ）のＡＰＳ情報ａ１３，応答のＡＰＳ情報ａ１４をノードＢ，Ｆに送信する。
【００５７】
次に、ステップＳ５６でノードＢよりスパンスイッチに対する応答がないまま一定時間経過したか否かを判別し、一定時間経過した場合ステップＳ５８に進む。ステップＳ５８ではノードＡが実行しようとするリングスイッチ（ＳＦ−Ｒ）より優先順位の高いスパンスイッチ（ＳＦ−Ｓ）要求のＡＰＳ情報ｆ７をノードＦから受信しているため、ノードＡはノードＦ側のスパンスイッチ（ＳＦ−Ｓ）要求のＡＰＳ情報ａ１５，スパンスイッチ（ＳＦ−Ｓ）応答のＡＰＳ情報ａ１６をノードＢ，Ｆに送信する。
【００５８】
このように、一方の隣接ノードとの間のスパンスイッチを実行できずリングスイッチに変更したとき、自ノードで他方のノードのスパンスイッチ要求と一方のノードのリングスイッチ要求との優先度を比較してスパンスイッチの実行かリングスイッチの実行かを決定し、両側の隣接ノードに要求するため、ＡＰＳ情報や切り替え動作状態を安定化することができる。
【００５９】
なお、ステップＳ２２が請求項記載の保持手段に対応し、ステップＳ２８が実行開始手段に対応し、ステップＳ３２〜Ｓ３６がリングスイッチを実行する手段に対応し、ステップＳ４２，Ｓ４４が切離手段に対応し、ステップＳ２４が要求通過手段に対応し、ステップＳ５８が比較手段に対応する。
【００６０】
【発明の効果】
上述の如く、請求項１に記載の発明は、他のノードで発生した、リングスイッチより優先度の高いスパンスイッチ要求が自ノードで受信されたとき、それまで実行していたリングスイッチを自ノードの内部要求として保持し、スパンスイッチを実行できない状況が復旧したか否かを確認しないため、ＡＰＳ情報や切り替え動作状態を安定化することができる。
【００６１】
請求項２に記載の発明は、優先度の高いスパンスイッチ要求がなくなったことを示す情報が自ノードで受信されたとき、自ノードの障害を救済するためのスパンスイッチから実行開始するため、スパンスイッチを実行できない状況が復旧したかどうかを優先度の高いスパンスイッチ要求がなくなった時点で確認することができる。
【００６２】
請求項３に記載の発明は、リングスイッチの実行中に、自ノードで検出される障害アラームレベルが変化したとき、前記障害アラームレベルに応じたリングスイッチを実行し、リングスイッチとスパンスイッチの切り替えを行わないため、無駄な切り替え動作が頻発することを防止できる。
請求項４に記載の発明は、リングスイッチを実行した側とは逆側に隣接するノードからリングスイッチ要求を受信したとき、自ノードを前記リングから切り離し、リングブリッジ，リングスイッチを実行しないため、ＡＰＳ情報や切り替え動作状態を安定化することができる。
【００６３】
請求項５に記載の発明は、優先度の高いスパンスイッチ要求が自ノードで受信されたとき、自ノードのリングブリッジ、リングスイッチ動作を解除し受信したスパンスイッチ要求を自ノード内を通過させ隣接ノードに送信するため、ＡＰＳ情報や切り替え動作状態を安定化することができる。
請求項６に記載の発明は、一方の隣接ノードとの間のスパンスイッチを実行できずリングスイッチに変更したとき、自ノードで他方のノードのスパンスイッチ要求と一方のノードのリングスイッチ要求との優先度を比較してスパンスイッチの実行かリングスイッチの実行かを決定し、両側の隣接ノードに要求するため、ＡＰＳ情報や切り替え動作状態を安定化することができる。
【００６４】
請求項７に記載の発明は、他のノードで発生した、リングスイッチより優先度の高いスパンスイッチ要求が自ノードで受信されたとき、それまで実行していたリングスイッチを自ノードの内部要求として保持し、スパンスイッチを実行できない状況が復旧したか否かを確認しないため、ＡＰＳ情報や切り替え動作状態を安定化することができる。
【００６５】
請求項８に記載の発明は、優先度の高いスパンスイッチ要求がなくなったことを示す情報が自ノードで受信されたとき、自ノードの障害を救済するためのスパンスイッチから実行開始するため、スパンスイッチを実行できない状況が復旧したかどうかを優先度の高いスパンスイッチ要求がなくなった時点で確認することができる。
【００６６】
請求項９に記載の発明は、リングスイッチの実行中に、自ノードで検出される障害アラームレベルが変化したとき、前記障害アラームレベルに応じたリングスイッチを実行し、リングスイッチとスパンスイッチの切り替えを行わないため、無駄な切り替え動作が頻発することを防止できる。
請求項１０に記載の発明は、リングスイッチを実行した側とは逆側に隣接するノードからリングスイッチ要求を受信したとき、自ノードを前記リングから切り離し、リングブリッジ，リングスイッチを実行しないため、ＡＰＳ情報や切り替え動作状態を安定化することができる。
【００６７】
請求項１１に記載の発明は、優先度の高いスパンスイッチ要求が自ノードで受信されたとき、自ノードのリングブリッジ、リングスイッチ動作を解除し受信したスパンスイッチ要求を自ノード内を通過させ隣接ノードに送信するため、ＡＰＳ情報や切り替え動作状態を安定化することができる。
請求項１２に記載の発明は、一方の隣接ノードとの間のスパンスイッチを実行できずリングスイッチに変更したとき、自ノードで他方のノードのスパンスイッチ要求と一方のノードのリングスイッチ要求との優先度を比較してスパンスイッチの実行かリングスイッチの実行かを決定し、両側の隣接ノードに要求するため、ＡＰＳ情報や切り替え動作状態を安定化することができる。
【図面の簡単な説明】
【図１】スパンスイッチの説明図である。
【図２】リングスイッチの説明図である。
【図３】本発明方法を適用するリングネットワークの構成図である。
【図４】本発明のノードの一実施例のブロック図である。
【図５】ノードＡ，Ｂ間障害時の第１実施例の動作シーケンスである。
【図６】ノードＡ，Ｂ間障害時の第１実施例のＡＰＳ情報の一覧を示す図である。
【図７】ノードＡ，Ｂ間障害時のノードＡの実行する処理のフローチャートである。
【図８】本発明方法を適用するリングネットワークの構成図である。
【図９】ノードＣ，Ｄ間障害時の第２実施例の動作シーケンスである。
【図１０】ノードＣ，Ｄ間障害時の第２実施例のＡＰＳ情報の一覧を示す図である。
【図１１】ノードＡ，Ｂ間のリングスイッチ実行中におけるノードＣ，Ｄ間障害時のノードＡの実行する処理のフローチャートである。
【図１２】ノードＡ，Ｂ間障害時の第３実施例の動作シーケンスである。
【図１３】ノードＡ，Ｂ間障害時の第３実施例のＡＰＳ情報の一覧を示す図である。
【図１４】ノードＡ，Ｂ間でリングスイッチ実行時に検出アラームが変化した場合にノードＡが実行する処理のフローチャートである。
【図１５】本発明方法を適用するリングネットワークの構成図である。
【図１６】ノードＡ，Ｆ間障害時の第４実施例の動作シーケンスである。
【図１７】ノードＡ，Ｆ間障害時の第４実施例のＡＰＳ情報の一覧を示す図である。
【図１８】ノードＡ，Ｂ間でリングスイッチ実行時にノードＡ，Ｆ間の障害発生によりノードＡが実行する処理のフローチャートである。
【図１９】本発明方法を適用するリングネットワークの構成図である。
【図２０】ノードＡ，Ｆ間障害時の第５実施例の動作シーケンスである。
【図２１】ノードＡ，Ｆ間障害時の第５実施例のＡＰＳ情報の一覧を示す図である。
【図２２】ノードＡ，Ｂ間でリングスイッチ実行時にノードＡ，Ｆ間の障害発生によりノードＡが実行する処理のフローチャートである。
【符号の説明】
Ａ，Ｂ，Ｃ，Ｄ，Ｅ，Ｆ  ノード
Ｐａｂ，Ｐｂａ，Ｐｆａ  予備回線
Ｗａｂ，Ｗｂａ，Ｗｆａ  現用回線
【図１】
0003765956.tif 000002
【図２】
0003765956.tif 000003
【図３】
0003765956.tif 000004
【図４】
0003765956.tif 000005
【図５】
0003765956.tif 000006
【図６】
0003765956.tif 000007
【図７】
0003765956.tif 000008
【図８】
0003765956.tif 000009
【図９】
0003765956.tif 000010
【図１０】
0003765956.tif 000011
【図１１】
0003765956.tif 000012
【図１２】
0003765956.tif 000013
【図１３】
0003765956.tif 000014
【図１４】
0003765956.tif 000015
【図１５】
0003765956.tif 000016
【図１６】
0003765956.tif 000017
【図１７】
0003765956.tif 000018
【図１８】
0003765956.tif 000019
【図１９】
0003765956.tif 000020
【図２０】
0003765956.tif 000021
【図２１】
0003765956.tif 000022
【図２２】
0003765956.tif 000023